(57)【要約】      （修正有）【課題】音響セル用のセプタムを製作する方法を提供する。【解決手段】音響パネルのセルのセプタム１００を作製する方法は、材料を加熱して溶融材料にし、溶融材料を積層して、セプタムにおける下側チャンバ１５０を、垂直方向上方に延びるとともに入口１３２を有するように形成し、溶融材料のフィラメントから成るレイヤ１２４を入口において繰り返し積層し、その際に、各レイヤにおけるフィラメントが、垂直方向に隣接するレイヤに対する張り出し部を有するようにし、張り出し部の位置に孔を形成する。【選択図】図１
2019109501.tif 000002
【特許請求の範囲】
【請求項１】
音響パネルのセルのセプタムを作製するにあたり、
材料を加熱して溶融材料にし、
前記溶融材料を積層して、前記セプタムにおける下側チャンバを、垂直方向上方に延びるとともに入口を有するように形成し、
前記溶融材料のフィラメントから成るレイヤを前記入口において繰り返し積層し、その際に、各レイヤにおけるフィラメントが、垂直方向に隣接するレイヤに対する張り出し部を有するようにし、
前記張り出し部の位置に孔を形成する、
方法。
【請求項２】
レイヤを積層するに際し、前記レイヤのうちの１つにおけるフィラメントが、隣接するレイヤのフィラメントを越えて延びるように積層して、前記張り出し部を形成する、
請求項１に記載の方法。
【請求項３】
レイヤの積層では、各フィラメントは、凹部と凸部を含む複数の頂点を有する多角星形に積層され、各レイヤにおける凹部が、垂直方向に隣接するレイヤにおける凸部と整列して配置されて前記孔が形成される、
請求項１に記載の方法。
【請求項４】
さらに、積層後に各凸部を垂下させる、
請求項３に記載の方法。
【請求項５】
前記レイヤを繰り返し積層することにより、少なくも５０レイヤを積層し、
各レイヤは、垂直方向に隣接するレイヤと共に、少なくとも１０の孔を形成する、
請求項１に記載の方法。
【請求項６】
各レイヤにおいてシームを形成し、その際に、垂直方向に隣接するレイヤのシームが互いに重なるように積層する、
請求項１に記載の方法。
【請求項７】
前記孔の直径は、１０，０００分の１インチと１，０００分の１インチの間である、
請求項１に記載の方法。
【請求項８】
さらに、溶融材料を積層して、前記レイヤを囲って音響セルの上側チャンバを画成する材料のソリッドな壁を形成する、
請求項１に記載の方法。
【請求項９】
音響セルのセプタムを含み、前記セプタムは、
垂直方向上方に延びるとともに、入口を有する下側チャンバと、
前記下側チャンバの前記入口の上端に積層された材料のレイヤのスタックであって、各レイヤは、垂直方向に隣接するレイヤに対する張り出し部を有するように前記入口に積層されたフィラメントであるスタックと、
前記張り出し部が、隣接するレイヤを越えて延出していることによって、前記張り出し部の位置における前記レイヤ間に形成された孔と、を含む、
装置。
【請求項１０】
前記スタックの各レイヤの厚さは、１,０００分の１インチと１００分の１インチの間である、
請求項９に記載の装置。
【請求項１１】
前記スタックの各レイヤは、凸部と凹部を含む複数の頂点を有する多角星形に形成されており、各レイヤにおける凹部は、隣接するレイヤにおける凸部と整列している、
請求項９に記載の装置。
【請求項１２】
前記スタックの各レイヤは、前記スタックの各レイヤにおける空洞部に突出するシームを有し、前記スタックの前記レイヤにおける前記シームは、互いに重なって整列している、
請求項９に記載の装置。
【請求項１３】
前記スタックを囲って音響セルの上側チャンバを形成する材料のソリッドな壁をさらに含む、
請求項９に記載の装置。
【請求項１４】
前記孔の直径は、１０，０００分の１インチと１，０００分の１インチの間である、
請求項９に記載の装置。
【請求項１５】
前記孔は、音響位相及びエネルギーを制御するように前記セプタムを振動させることによって、音響制御を行う、
請求項９に記載の装置。
【発明の詳細な説明】
【技術分野】
【０００１】
本開示は、音響パネル（acoustic panel）の分野に関し、具体的には、音響パネル用のセプタム（septa/septum）に関する。
【背景技術】
【０００２】
音響パネルは、音の吸収、抑制、及び／又は、反射のために特別に設計された構造を含む。音響パネルは、例えば、航空機の離陸時、飛行中、及び、着陸時における航空機エンジンの騒音を低減するために使用される。航空機における音響パネルは、さらに、航空機の騒音を低減し、及び／又は、離着陸時において航空機が接近する周辺環境から騒音を逸らすために利用される。
【０００３】
現行の音響パネルは、各パネルを航空機の複雑な形状に適合させるため、労力をかけてセル単位で入念に組み立てられている。各セルには、音響制御を促進するためにセプタムが挿入されており、航空機の音響パネルは、何万ものセプタムを含みうる。音響パネルにセプタムを挿入する手間のかかるプロセスは、航空機の製造コストを増大させることになり、望ましくない。このため、航空機の設計者は、航空機に音響パネルの追加する際には、快適さとコストとのバランスを慎重に考慮することになる。
【０００４】
したがって、上述した問題のうちの少なくともいくつか、並びに、その他の潜在的問題を考慮に入れた方法及び装置の提供が望まれる。
【発明の概要】
【０００５】
本明細書に記載の実施形態は、付加製造プロセスによって作製されたセプタムを提供する。つまり、これらのセプタムは、音響セル及び／又はパネルと一体のコンポーネントとして作製することができる。本明細書に記載のセプタムは、独自の多層構造（multi-layer geometry）を採用することで、対応する音響セルの内部空間につながる所望のサイズ及び数の流路を備えている。これにより、音響セルとは異なる材料で作製したセプタムが不要になる。加えて、音響セルにセプタムを挿入、接合するプロセスを別途行う必要がなくなる。さらに、流路のサイズ及び数を、設計段階で正確に制御することができるので、本明細書に記載のセプタムによれば、正確に調整された音響制御が可能になる。
【０００６】
一実施形態は、音響パネルのセルのセプタムを作製する方法に関し、当該方法では、材料を加熱して溶融材料にし、前記溶融材料を積層して、前記セプタムにおける下側チャンバを、垂直方向上方に延びるとともに入口を有するように形成し、前記溶融材料のフィラメントから成るレイヤを前記入口において繰り返し積層し、その際に、各レイヤにおけるフィラメントが、垂直方向に隣接するレイヤに対する張り出し部を有するようにし、前記張り出し部の位置に孔を形成する。
【０００７】
さらに別の実施形態は、プロセッサにより実行されると方法を実行するように動作させるプログラム命令を具体化した非一時的なコンピュータ可読媒体に関する。前記方法は、音響パネルのセルのセプタムを作製する方法であって、その際に、材料を加熱して溶融材料にし、前記溶融材料を積層して、前記セプタムにおける下側チャンバを、垂直方向上方に延びるとともに入口を有するように形成し、前記溶融材料のフィラメントから成るレイヤを前記入口において繰り返し積層し、その際に、各レイヤにおけるフィラメントが、垂直方向に隣接するレイヤに対する張り出し部を有するようにし、前記張り出し部の位置に孔を形成する。
【０００８】
さらに別の実施形態は、音響セルのセプタムを含む装置に関する。前記セプタムは、垂直方向上方に延びるとともに、入口を有する下側チャンバと、前記下側チャンバの前記入口の上端に積層された材料のレイヤのスタックと、を含む。前記スタックの各レイヤは、垂直方向に隣接するレイヤに対する張り出し部を有するように前記入口に積層されたフィラメントと、前記張り出し部が、隣接するレイヤを越えて延出していることによって、前記張り出し部の位置における前記レイヤ間に形成された孔と、を含む。
【０００９】
その他の例示的な実施形態（例えば、上述の実施形態に関連する方法及びコンピュータ可読媒体）を、以下に記載する。上述の特徴、機能、及び、効果は、本開示の様々な実施形態において個別に達成可能であり、また、他の実施形態との組み合わせも可能である。この詳細については、以下の記載と図面から明らかになるであろう。
【図面の簡単な説明】
【００１０】
以下に、本開示のいくつかの実施形態を、あくまでも例として説明する。説明においては、添付図面を参照し、同一あるいは同じ種類の要素は、すべての図面を通じて同一の参照符号で示されている。
【００１１】
【図１】例示的な実施形態による音響セル用セプタムを示す側面図である。
【図２】例示的な実施形態による図１のセプタムにおける複数のレイヤの断面図である。
【図３】例示的な実施形態による図１のセプタムにおける複数のレイヤの透視図である。
【図４】例示的な実施形態による音響セルの断面図である。
【図５】例示的な実施形態による音響パネルの切り欠き図である。
【図６】例示的な実施形態による音響パネルの上面図である。
【図７】例示的な実施形態による融解フィラメント製造システムを示すブロック図である。
【図８Ａ】例示的な実施形態による、音響セル用セプタムを付加製造によって作成する方法を示すフローチャートである。
【図８Ｂ】例示的な実施形態による音響エネルギーの制御方法を示すフローチャートである。
【図９】例示的な実施形態による音響制御を示す回路図である。
【図１０】例示的な実施形態による音響パネルを、エンジンに取り付けられた状態で示すブロック図である。
【図１１】例示的な実施形態による航空機の製造及び使用方法を示すフロー図である。
【図１２】例示的な実施形態による航空機を示すブロック図である。
【発明を実施するための形態】
【００１２】
図面及び下記の説明は、本開示における特定の例示的な実施形態を説明するものである。したがって、当業者であれば、これら実施形態の原理を具体化する様々な変形を想定することができ、これは、本明細書に明瞭な説明又は図示がなくても可能であり、また、そのような変形も実施形態の範囲に包含されことは理解されよう。さらに、本明細書に記載の実施例は、いずれも本開示の原理に対する理解を助けることを意図しており、これら具体的に説明された実施例又は条件に限定するものであると解釈すべきではない。つまり、本開示は、以下に説明する特定の実施形態又は実施例に限定されるものではなく、請求の範囲及びその均等範囲によって限定される。
【００１３】
図１は、例示的な実施形態における音響セル用のセプタム１００を示す側面図である。セプタム１００は、一体的な材料（例えば、熱可塑性の部品）で構成されており、下側チャンバ１５０につながる小さな流路（例えば、その直径が１０，０００分の１インチと１，０００分の１インチの間）が設けられている。下側チャンバは、垂直方向上方に延びるとともに入口（entry）１３２を有する。この構成によって、音響セル内にセプタム１００を配置すれば、音響エネルギーの制御が促進される。
【００１４】
本実施形態では、セプタム１００は３つの領域からなり、各領域は、ポリアリールエーテルケトン（ＰＡＥＫ：Poly Aryl Ether Ketone）、ポリカーボネート（ＰＣ）ポリエーテルイミド（ＰＥＩ）混合物などの熱可塑性材料で構成されている。これらの材料は、融解フィラメント製造システム（fused filament fabrication system）などの付加製造システムで使用可能なものであり、セプタム１００は、材料の層を熱溶解積層（fused deposition）によって連続して積み上げて作製される。領域１４２は、壁１４４（例えば、熱可塑性材料で構成されたソリッドな壁（solid wall））を含む。この壁で囲うことで下側チャンバ１５０が画成される。傾斜部１３０は、壁１４４の一部分であって、下側チャンバ１５０の直径（Ｄ）が減少して入口１３２に繋がっている部分である。傾斜部１３０の角度は、付加製造プロセスにおいて許容される最大傾斜角に依存する。例えば、融解フィラメント製造システムによる最大傾斜角が４５度であれば、傾斜部１３０の角度（θ）は、４５度に限定されうる。周縁１４０は、入口１３２を囲む部分である。下側チャンバ１５０は、融解フィラメント製造により作製してもよいし、あるいは、その他の適当なプロセスにより作製してもよい。
【００１５】
領域１２２は、材料の複数のレイヤ１２４が積層されたスタック１２０を含む。レイヤ１２４の形状寸法（geometry）によって、レイヤ１２４間に小さな孔／流路が形成されており、これにより、音響セル内の音響エネルギーの制御を容易化することができる。領域１１２には、ソリッドなキャップなど、セプタム１００のキャップ１１０が形成されている。図１には、ソリッドなキャップ１１０を示しているが、さらに別の実施形態では、キャップ１１０は、追加のレイヤ１２４を含んでもよい。この追加のレイヤの付加製造では、上にいくほど各レイヤの直径が小さくなるように積層して、円錐形に造形にしてもよい。このような実施形態によれば、キャップ１１０の内部に流路を設けることができる。さらに別の実施形態では、キャップ１１０をセプタム１００のベース層として形成する場合（例えば、セプタム１００を、上側から下に、上下を逆にして作製する場合）、キャップ１１０は、完全に平坦に造形してもよい。セプタム１００が採用するキャップ１１０の種類にかかわらず、セプタム１００は、レイヤ１２４間の隙間によって画成される流路よりも大きな流路は一切含まない（例えば、直径が１０，０００分の１インチを超える流路は含まない）。
【００１６】
レイヤ１２４については、図２〜図３を参照してさらに説明する。図２は、図１に示す例示的な実施形態のセプタム１００における複数のレイヤの断面図であり、図１における矢印２の矢視図に相当する。
【００１７】
本実施形態では、第１レイヤ２１０及び追加レイヤ２２０が示されている。各レイヤは、例えば、融解フィラメント製造システムにおいて１のノズルから吐出された熱可塑性材料など、図１の周縁１４０に沿って一周する経路で吐出された材料（single pathway of deposited material）から成る。さらに、各レイヤは、内側に空洞（hollow）を境界づける形状であって、例えば、Ｎ個の凸部２１４及び凹部２１２を含む頂点２６０を有する多角星形（multi-pointed star shape）に造形したフィラメント（filament）２１６で構成してもよい。追加レイヤ２２０は、第１レイヤ２１０に対して回転させた形状にする。これにより、追加レイヤ２２０の頂点２６０を、第１レイヤ２１０の頂点２６０からオフセットして配置することができる。このオフセットは、異なるレイヤの頂点２６０の平行移動、あるいは、回転により生じる。例えば、図２に示すように、追加レイヤ２２０の凸部２２４が第１レイヤ２１０の凹部２１２を部分的に覆っている。この結果、あるレイヤの一部分が、垂直方向に隣接するレイヤの一部分／境界／範囲よりも横方向に突出した部分である張り出し部（overhang）２９０が形成される。よって、各レイヤにおける凹部は、隣接するレイヤの凸部と整列する。このように、（入口１３２の上方に位置する）各レイヤの空洞部２５０は、隣接するレイヤを越えて延びている。別の表現をすれば、追加レイヤ２２０の空洞部２５０は、隣接するレイヤ（例えば、第１レイヤ２１０）のフィラメント２１６から延在して、孔２３０を形成している。したがって、孔２３０は、頂点２６０の近傍に位置する。これらの実施形態では、フィラメントが太いほど、所望のサイズの孔を形成するために張り出し部を大きくする必要が生じる。
【００１８】
図２には、各レイヤがシーム（seam）２４０を有しうることを示している。この実施形態では、シーム２４０は、側部２４２及び側部２４４を含む。例えば、融解フィラメント製造では、側部２４２は、第１レイヤ２１０の積層始めにおいて吐出される部分であり、側部２４４は、積層終わりに吐出される部分であり、各側部の厚さはＴ／２である。これにより、各レイヤの始点と終点における吐出のムラや変動によって、レイヤ間に形成される流路のサイズが意図せず変わってしまうことを防止できる。
【００１９】
図３は、例示的な実施形態による図１のセプタム１００におけるの複数のレイヤの透視図である。具体的には、図３は、図１における矢印３の矢視図に相当する。この図は、追加レイヤ３００を示しており、また、レイヤの凸部及び凹部が隣接するレイヤと整列していない場合であっても、レイヤのシーム２４０が互いに重なるように配置できることを示している。
【００２０】
図２〜図３に基づくスタック１２０の理解に基づいて、図４は、例示的な実施形態における音響セル４００を示す断面図である。本実施形態において、音響セル４００は、周縁１４０で画成された下側チャンバ１５０を含む。加えて、音響セル４００は、壁４１０及びフェースシート（facesheet）４３０で画成された上側チャンバ４２０も含む。音響エネルギーは、フェースシート４３０に設けられた開口（opening）４３２を経由して音響セル４００の上側チャンバ４２０に入る。音響エネルギーは、その後、スタック１２０のレイヤ間に設けられた孔２３０を経由して伝達されて、下側チャンバ１５０に入る。つまり、孔２３０は、音響位相及びエネルギーを制御するようにセプタム１００を振動させることで、音響制御の機能を果たす。音響セル４００のすべてのコンポーネントは、付加製造によって、材料の一体物として同時に作製することができる。
【００２１】
図５は、例示的な実施形態における音響パネル５００を示す切り欠き図である。図５は、音響パネル５００の音響セル４００によって、音響エネルギーが制御される様子も示している。図５に示すように、音波エネルギー５１０は、フェースシート４３０を介して音響セルの上側チャンバ４２０に入り、その後、スタック１２０を介して下側チャンバ１５０に入る。次いで、音波エネルギー５１０は、音響セル４００内で位相調整（phasing）によって制御されるか、及び／又は、セプタムが位相のずれた波を消去することにより減衰された後に、音響セル４００から放出される。図６は、例示的な実施形態における音響パネルを示す上面図である。図６は、図５における矢印６の矢視図に相当する。図６が示すように、音響セル４００は任意の態様で音響パネル５００に配置可能であるとともに、任意の適当な形状を有するものでもよい。例えば、六角形又は円形など、モザイク状に配置可能な形状（tessellating shape）を用いることができ、これにより音響セル４００を所望の密度で配置することができる。
【００２２】
上記ではセプタム１００、及び、対応する音響パネルについて記載したが、以下では、セプタム１００の作製に使用可能な付加製造システム及び技術について説明する。図７は、例示的な実施形態における融解フィラメント製造システム７００を示すブロック図である。融解フィラメント製造システム７００は、熱可塑性材料の連続フィラメントで３次元の部品を作製する任意の適当なシステムである。本実施形態では、融解フィラメント製造システム７００は、アクチュエータ７２０を含み、これによりヘッド７３０を様々な位置及び／又は方向に移動させて付加製造を行う。ヘッド７３０はヒータ７３２を含み、これによりフィラメント貯蔵部（filament reserve）７４０から供給される熱可塑性材料７４２を溶融させて、溶融熱可塑性材料７５０を得る。溶融熱可塑性材料７５０はノズル７３４に供給され、このノズルがコントローラ７１０の命令にしたがって、所望の位置に溶融熱可塑性材料７５０を吐出する。コントローラ７１０は、例えば、数値制御（ＮＣ）プログラム７１２などのＮＣプログラムに格納された命令に基づいて、アクチュエータ７２０、ヒータ７３２、及び／又は、ノズル７３４の動作を制御する。コントローラ７１０は、例えば、カスタマイズされた回路、プログラムされた命令を実行するハードウェアプロセッサ、又は、それらの組み合わせにより実現することができる。
【００２３】
融解フィラメント製造システム７００の動作の例示的な詳細については、図８を参照して説明する。本実施形態では、融解フィラメント製造システム７００に材料のフィラメントが充填されており、また、コントローラ７１０は、メモリに格納されたＮＣプログラムに基づいて作製を開始することを前提とする。
【００２４】
図８Ａは、付加製造を用いて例示的な実施形態における音響セルのセプタムを作成する方法８００を示すフローチャートである。方法８００のステップは、図７の融解フィラメント製造システム７００を参照して説明されているが、その他の任意の付加製造環境においても方法８００を実行可能であることは、当業者なら認識できるであろう。本明細書で説明するフローチャートのステップは、すべてのステップを網羅しているものではなく、ここに示した以外のステップも含まれうる。本明細書で説明するステップは、異なる順で実行することもできる。さらに、これらのステップは、数値制御（ＮＣ）プログラムに、例えば図７に示すＮＣプログラム７１２にしたがって動作して、自動制御プロセスを実現するマシンにより実行されうる。
【００２５】
コントローラ７１０は、アクチュエータ７２０に命令して、ノズル７３４をセプタム１００の作製開始位置に移動させる。コントローラ７１０は、ヒータ７３２に命令して、材料（例えば、熱可塑性材料７４２）を溶融温度（例えば、華氏７２０度）に加熱して、溶融材料（例えば、溶融熱可塑性材料７５０）を得る（ステップ８０２）。コントローラ７１０は、ＮＣプログラム７１２をロードして、融解フィラメント製造システム７００の移動経路、溶融材料の積層位置、及び、積層させる溶融材料の量を示す、セプタム１００の作製命令を取得する（ステップ８０３）。コントローラ７１０は、さらに、アクチュエータ７２０及びノズル７３４に命令して、実際に溶融材料を積層させて、セプタム１００の作製を開始する。このプロセスは、溶融材料を積層して、セプタム１００の下側チャンバ１５０を形成することを含み、この際に、下側チャンバは、垂直方向上方に延び、周縁１４０を有する入口１３２を含むように形成される（ステップ８０４）。
【００２６】
下側チャンバ１５０が作製されると、コントローラ７１０は、アクチュエータ７２０及びノズル７３４に命令して、溶融材料をさらに追加で積層させる。具体的には、コントローラ７１０は、アクチュエータ７２０及びノズル７３４に命令して、入口１３２に溶融材料のフィラメント（例えば、入口１３２の周縁１４０に沿ったフィラメント）であるレイヤを積層させる（ステップ８０６）。このフィラメントは、内側に空洞を境界づける形状に積層される。さらに、追加のフィラメント状レイヤを積層させる。各レイヤは、垂直方向に隣接するレイヤに対する張り出し部（overhang）を有する。このプロセスを継続して、追加レイヤの積層を繰り返す。すべてのレイヤ１２４の積層を完了していないとコントローラ７１０が判定すれば（ステップ８０８）、コントローラ７１０は、アクチュエータ７２０及びノズル７３４に命令して、ステップ８０６に戻り、追加のレイヤを積層させる。
【００２７】
レイヤ１２４が固化する（例えば、冷却される）際に、張り出し部２９０が垂れ下がるので、張り出し部２９０の位置において、垂直方向に隣接するレイヤとレイヤの間に孔２３０が形成される（ステップ８１０）。これらの孔２３０は、セプタム１００の下側チャンバ１５０に連通する。例えば、各レイヤ１２４のフィラメントは、孔２３０を形成すべく、垂直方向に隣接する（例えば、接触する）レイヤ１２４のフィラメントよりもわずかに張り出すように積層される。そのような実施形態では、各フィラメントは、下支えなしに片持ち梁状に突出した部分（cantilevered protrusion）を含むように積層される。これら突出部分が、フィラメントの積層後に下方に垂れ下がり、孔２３０が形成される。スタック１２０は、例えば、１００レイヤ、あるいは、それ以上など、任意の適当な数のレイヤを含むことができる。
【００２８】
スタック１２０のこの独自の形状寸法により、付加製造技術を用いてセプタム１００に孔２３０を設けることが可能になる。これにより、セプタム１００は、上側チャンバ４２０及び下側チャンバ１５０を通過する音響エネルギーの流れを制御することが可能になる。さらに、セプタム１００は付加製造技術により作製されるので、音響パネル５００を一体成形することができる。これにより、音響パネルを自動で製造することが可能になり、コストの低減が可能になる。さらに、音響セルのその他の部分（例えば、壁４１０、フェースシート４３０）についても、セプタム１００の付加製造と同一プロセスで作成することができる。これにより、音響セルとセプタムを、同時に作成することが可能になる。
【００２９】
上述のセプタムを用いることにより、音響セルにおいて方法が実行される。これを、図８Ｂの方法８５０に関して説明する。本方法は、例えば、複数の音響セルを含むパネルのフェースシートを貫通する空気流を受けること（ステップ８５２）を含む。本方法は、フェースシートを介して空気流を音響パネルのセルに導入すること（ステップ８５４）と、音響エネルギー及び位相を制御するように、セルのセプタを振動させること（ステップ８５６）を含む。
【００３０】
音響セルによる音響エネルギーの調整制御は、回路図を使ってモデル化することができる。具体的には、図９の回路図９００を用いて、音響パネル全体のインピーダンスを調整することができる。このような実施形態において、Ｒ１及びＲ２は、図９に示す抵抗−コイル−コンデンサ（ＲＬＣ:Resistive Inductive Capacitive）回路における抵抗を表し、Ｃ１及びＣ２は、図９のＲＬＣ回路におけるコンデンサを表し、Ｌ１はＲＬＣ回路におけるインダクタを表す。これらの要素から、Ｚ１、Ｚ２、及び、Ｚ系（z#system）（回路の様々な部分のインピーダンスを表す）を算出することができる。具体的には、Ｒ１は、パネルのフェースシートにより与えられる音響抵抗に対応する。Ｌ１は、フェースシートに設けられた開口の形状、数、及び／又は、サイズによって生じる空気流（質量）インピーダンスに対応する（これは、例えば、フェースシートに対する開口面積率（ＰＯＡ：Percent Open Area）を調節することで、調整可能である）。さらに、Ｃ１は、セプタムとフェースシートの間の空気キャパシタンスの大きさ（volume of air capacitance）に対応し、Ｃ２は、セプタムと裏側シート（backing sheet）の間の空気キャパシタンスの大きさに対応する。Ｒ２は、セプタム内を音響エネルギーが伝播するのに伴って生じる抵抗を表す。Ｒ１、Ｌ１及びＣ１を所望のように変化させることで、Ｚ１を調整することが可能である。同様に、Ｚ２についても、Ｒ２とＣ２の値に基づいて調整することが可能である。このように、音響パネル全体のＺ系を迅速に算出することができる。例えば、フェースシート４３０の開口面積率は、音響セル４００に流入する空気流に対して、特定のレベルの抵抗を与えるように選択することができる。音響セルは、選択された周波数（又は周波数域）の音響エネルギーに抵抗を与え／これを減衰させるよう構成されている。なお、フェースシート４３０の厚みによって、音響セル４００に流れ込む空気の質量流量を規制する誘導性応答（inductive response）が生じる場合がある。音響セル４００に含まれるセプタム１００は、セルキャパシタンス（エネルギー貯蔵量）を規定し、さらに、空気流に抵抗を与える。したがって、音響セル４００内の自由空間の体積、及び、音響セル４００の総体積を考慮し、これを２自由度（ＤＯＦ）制御系におけるプログラムを用いて制御して、これにより、音響セル４００の音響特性を制御して特定の周波数を制御／減衰することができる。この手法は、航空機エンジンからの特定周波数の騒音が航空機の乗客に知覚され、航空機の乗客に不快感をもたらすことが分かっているような場合に特に有用である。
［実施例］
【００３１】
後述する実施例において、付加製造プロセスで作製されたセプタムを有する音響パネルに関連して、さらに追加のプロセス、システム、及び、方法について説明する。
【００３２】
図１０は、例示的な実施形態において、エンジン１０００（例えば、航空機のエンジン）に取り付けられた音響パネル（１０２０）を示すブロック図である。本実施形態では、エンジン１０００の給気口１０１０には、音響エネルギーを制御する１以上の音響パネル１０２０が設けられている。音響パネル１０２０は、裏側シート１０２２を含み、これは、音響パネル１０２０のコア１０２４のベース／土台を構成する。コア１０２４は、所定数の音響セル１０３０を含む。各音響セル１０３０は、複数の壁１０３２を含み、また、セプタム１０４０を含む。各セプタム１０４０は、下側チャンバ１０４２を画成する壁１０４４を含み、下側チャンバは周縁１０４３を有する。スタック１０４６は、複数のレイヤ１０４７を含み、周縁１０４３の上端に配置されている。各レイヤ１０４７は、頂点１０４８を有し、また、シーム（seam）１０４９を有する場合もある。キャップ１０４１は、セプタム１０４０の終端に設けられている。フェースシート１０２６は、開口１０２８を有し、各音響セル１０３０を覆っている。これにより、音響エネルギーを通過させて、音響制御用の音響セル１０３０に進入させている。
【００３３】
図面をより具体的に参照すると、本開示の実施形態は、図１１に示す航空機の製造及び使用方法１１００に関連させて、また、図１２に示す航空機１１０２に関連させて説明することができる。生産開始前において、例示的な方法１１００は、航空機１１０２の仕様決定及び設計１１０４と、材料調達１１０６とを含む。製造中には、航空機１１０２の部品及び小組立品の製造１１０８、及び、システム統合１１１０が行われる。その後、航空機１１０２は、認可及び納品１１１２を経て、使用１１１４の期間に入る。顧客による使用の期間中は、航空機１１０２は、定期的な整備及び保守１１１６（改良、再構成、改修、及び他の適当な保守を含みうる）のスケジュールに組み込まれる。本明細書で具体化した装置及び方法は、製造及び使用方法１１００における１以上の任意の適当な工程（例えば、仕様決定及び設計１１０４、材料調達１１０６、部品及び小組立品の製造１１０８、システム統合１１１０、認可及び納品１１１２、使用１１１４、整備及び保守１１１６）、及び／又は、航空機１１０２の任意の適当なコンポーネント（例えば、機体１１１８、システム１１２０、内装１１２２、推進系１１２４、電気系１１２６、油圧系１１２８、環境系１１３０）において、採用することができる。
【００３４】
方法１１００の各工程は、システムインテグレータ、第三者、及び／又は、オペレータ（例えば顧客）によって実行又は実施することができる。なお、システムインテグレータは、航空機メーカ及び主要システム下請業者をいくつ含んでいてもよく、その数は特に限定されない。また、第三者は、売主、下請業者、供給業者をいくつ含んでいてもよく、オペレータは、例えば、航空会社、リース会社、軍事団体、サービス組織、及び他の適当なオペレータを含んでもよい。
【００３５】
図１２に示すように、例示的な航空機の製造及び使用方法１１００によって製造された航空機１１０２は、複数のシステム１１２０及び内装１１２２を有する機体１１１８を含みうる。複数のハイレベルシステム１１２０の例としては、推進系１１２４、電気系１１２６、油圧系１１２８、及び、環境系１１３０のうちの１以上が挙げられる。また、その他のシステムをいくつ含んでもよい。また、航空宇宙産業に用いた場合を例として説明したが、本開示の原理は、例えば自動車産業、農業、海洋産業、家電産業などの他の産業に適用してもよい。
【００３６】
既に言及したように、本明細書において具体化される装置及び方法は、航空機の製造及び使用方法１１００における１以上の任意の工程で採用してもよい。例えば、製造工程１１０８において製造される部品及び小組立品を、航空機１１０２の使用期間において製造される部品及び小組立品と同様に製造してもよい。また、１以上の装置の実施形態、方法の実施形態、又はそれらの組み合わせを、製造工程１１０８及び１１１０で用いることによって、例えば、実質的に航空機１１０２の組み立て速度を大幅に速めたり、コストを大幅に削減したりすることができる。同様に、１以上の装置の実施形態、方法の実施形態、又は、それらの組み合わせを、航空機１１０２の使用期間において、例えば、限定するものではないが、整備及び保守１１１６に用いてもよい。例えば、本明細書に記載の技術及びシステムを、ステップ１１０６、１１０８、１１１０、１１１４及び／又は１１１６において用いてもよいしい、及び／又は、機体１１１８及び／又は内装１１２２について用いてもよい。これらの技術及びシステムは、例えば、推進系１１２４、電気系１１２６、油圧系１１２８、及び／又は、環境系１１３０を含むシステム１１２０について用いることもできる。
【００３７】
一実施形態において、音響パネル５００は、機体１１１８の一部に連結され、部品及び小組立品の製造１１０８の工程において作製される。音響パネル５００は、摩耗によって音響パネル５００が使用不可能な状態になるまで、継続的に使用１１１４されうる。次いで、整備及び保守１１１６において、音響パネル５００は、廃棄され、新たに製造された部品と交換される。本発明のコンポーネント及び方法は、部品及び小組立品の製造１１０８において、新たな音響パネル５００の製造に、及び、これら音響パネル５００のセプタムの製造に用いることができる。
【００３８】
図示あるいは本明細書に記載した様々な制御素子（例えば電気又は電子部品）はいずれも、ハードウェア、ソフトウェアを実装したプロセッサ、ファームウェアを実装したプロセッサ、又は、これら何らかの組み合わせとして実現することができる。例えば、ある素子を、専用ハードウェアとして実現することができる。専用ハードウェア素子は、「プロセッサ」、「コントローラ」、又は、これに類するその他の用語で呼ばれる場合がある。プロセッサによって実現される場合、その機能は、単一の専用プロセッサ、単一の共有プロセッサ、又は、共有可能な複数の別個のプロセッサによって、実現することができる。さらに、「プロセッサ」又は「コントローラ」なる用語の明示的な使用は、ソフトウェアを実行可能なハードウェアのみを指すと解釈されるべきではない。限定するものではないが、デジタル信号プロセッサ（ＤＳＰ）ハードウェア、ネットワークプロセッサ、特定用途向け集積回路（ＡＳＩＣ）若しくは他の回路、フィールドプログラマブルゲートアレイ（ＦＰＧＡ）、ソフトウェアを格納した読み取り専用メモリ（ＲＯＭ）、ランダムアクセスメモリ（ＲＡＭ）、不揮発性記憶装置、論理回路、又は、他の物理的なハードウェア部品若しくはモジュールを暗黙的に含みうる。
【００３９】
また、制御素子は、当該素子の機能を実行すべくプロセッサ又はコンピュータによって実行可能な命令として実現することができる。命令の例をいくつか挙げると、ソフトウェア、プログラムコード及びファームウェアがある。これらの命令は、プロセッサにより実行されると、当該プロセッサを指令して素子の機能を実行させる。これらの命令は、プロセッサにより読み取り可能な記憶装置に格納することができる。記憶装置の例としては、デジタルメモリ若しくは固体メモリ、磁気ディスクや磁気テープなどの磁気記憶媒体、ハードドライブ、又は、光学的に読み取り可能なデジタルデータ記憶媒体などが挙げられる。
【００４０】
本方法は、以下の付記においても言及されるが、これらは請求の範囲と混同されるべきではない。
【００４１】
Ａ１．音響パネルのセルのセプタムを作製するにあたり、
材料を加熱して溶融材料にし（８０２）、
前記溶融材料を積層して、前記セプタムにおける下側チャンバを、垂直方向上方に延びるとともに入口を有するように形成し（８０４）、
前記溶融材料のフィラメントから成るレイヤを前記入口において繰り返し積層し、その際に、各レイヤにおけるフィラメントが、垂直方向に隣接するレイヤに対する張り出し部を有するようにし（８０６〜８０８）、
前記張り出し部の位置に孔を形成する（８１０）、
方法。
【００４２】
Ａ２．レイヤを積層するに際し、前記レイヤのうちの１つにおけるフィラメントが、隣接するレイヤのフィラメントを越えて延びるように積層して、前記張り出し部を形成する、
付記Ａ１に記載の方法。
【００４３】
Ａ３．レイヤの積層では、各フィラメントは、凹部と凸部を含む複数の頂点を有する多角星形に積層され、各レイヤにおける凹部が、垂直方向に隣接するレイヤにおける凸部と整列して配置されて前記孔が形成される、
付記Ａ１に記載の方法。
【００４４】
Ａ４．さらに、積層後に各凸部を垂下させる、
付記Ａ３に記載の方法。
【００４５】
Ａ５．前記レイヤを繰り返し積層することにより、少なくも５０レイヤを積層し、
各レイヤは、垂直方向に隣接するレイヤと共に、少なくとも１０の孔を形成する、
付記Ａ１に記載の方法。
【００４６】
Ａ６．前記セプタムの作製を、融解フィラメント製造により行う、
付記Ａ１に記載の方法。
【００４７】
Ａ７．各レイヤにおいてシームを形成し、その際に、垂直方向に隣接するレイヤのシームが互いに重なるように積層する、
付記Ａ１に記載の方法。
【００４８】
Ａ８．前記孔の直径は、１０，０００分の１インチと１，０００分の１インチの間である、
付記Ａ１に記載の方法。
【００４９】
Ａ９．さらに、溶融材料を積層して、前記レイヤの上端に材料のソリッドなキャップを形成する、
付記Ａ１に記載の方法。
【００５０】
Ａ１０．さらに、溶融材料を積層して、前記レイヤを囲って音響セルの上側チャンバを画成する材料のソリッドな壁を形成する、
付記Ａ１に記載の方法。
【００５１】
Ａ１１．付記Ａ１に記載の方法によって組み立てられた航空機の部品。
【００５２】
本開示のさらに別の側面において、以下の媒体が提供される。
【００５３】
Ｂ１．プロセッサにより実行されると方法を実行するプログラム命令を具体化した非一時的なコンピュータ可読媒体であって、前記方法は、
音響パネルのセルのセプタムを作製にあたり、
材料を加熱して溶融材料にし（８０２）、
前記溶融材料を積層して、前記セプタムにおける下側チャンバを、垂直方向上方に延びるとともに入口を有するように形成し（８０４）、
前記溶融材料のフィラメントから成るレイヤを前記入口において繰り返し積層し、その際に、各レイヤにおけるフィラメントが、垂直方向に隣接するレイヤに対する張り出し部を有するようにし（８０６〜８０８）、
前記張り出し部の位置に孔を形成する（８１０）方法である。
【００５４】
Ｂ２．レイヤを積層するに際し、前記レイヤのうちの１つにおけるフィラメントが、隣接するレイヤのフィラメントを越えて延びるように積層して、前記張り出し部を形成する、
付記Ｂ１に記載の媒体。
【００５５】
Ｂ３．レイヤの積層では、各フィラメントは、凹部と凸部を含む複数の頂点を有する多角星形に積層され、各レイヤにおける凹部が、垂直方向に隣接するレイヤにおける凸部と整列して配置されて前記孔が形成される、
付記Ｂ１に記載の媒体。
【００５６】
Ｂ４．前記方法は、さらに、積層後に各凸部を垂下させる、
付記Ｂ３に記載の媒体。
【００５７】
Ｂ５．前記レイヤを繰り返し積層することにより、少なくも５０レイヤを積層し、
各レイヤは、垂直方向に隣接するレイヤと共に、少なくとも１０の孔を形成する、
付記Ｂ１に記載の媒体。
【００５８】
Ｂ６．前記セプタムの作製を、融解フィラメント製造により行う、
付記Ｂ１に記載の媒体。
【００５９】
Ｂ７．前記方法は、さらに、各レイヤにおいてシームを形成し、その際に、垂直方向に隣接するレイヤのシームが互いに重なるように積層する、
付記Ｂ１に記載の媒体。
【００６０】
本開示のさらに別の側面において、以下の装置が提供される。
【００６１】
Ｃ１．音響セル（４００）のセプタム（１００）を含み、前記セプタムは、
垂直方向上方に延びるとともに、入口（１３２）を有する下側チャンバ（１５０）と、
前記下側チャンバの前記入口の上端に積層された材料のレイヤ（１２４）のスタックであって、各レイヤは、垂直方向に隣接するレイヤに対する張り出し部（２９０）を有するように前記入口に積層されたフィラメント（２１６）であるスタックと、
前記張り出し部が、隣接するレイヤを越えて延出していることによって、前記張り出し部の位置における前記レイヤ間に形成された孔（２３０）と、を含む、
装置。
【００６２】
Ｃ２．前記スタックの各レイヤの厚さは、１，０００分の１インチと１００分の１インチの間である、
付記Ｃ１に記載の装置。
【００６３】
Ｃ３．前記材料は、ポリアリールエーテルケトン（ＰＡＥＫ）を含む、
付記Ｃ１に記載の装置。
【００６４】
Ｃ４．前記スタックの各レイヤは、凸部（２２４）と凹部（２１２）を形成する複数の頂点（２６０）を有する多角星形に形成されており、各レイヤにおける凹部は、隣接するレイヤにおける凸部と整列している、
付記Ｃ１に記載の装置。
【００６５】
Ｃ５．前記スタックの各レイヤは、前記スタックの各レイヤにおける空洞部（２５０）に突出するシーム（２４０）を有し、前記スタックの前記レイヤにおける前記シームは、互いに重なって整列している、
付記Ｃ１に記載の装置。
【００６６】
Ｃ６．前記スタックを囲って音響セル（４００）の上側チャンバ（４２０）を画成する材料のソリッドな壁（４１０）をさらに含む、
付記Ｃ１に記載の装置。
【００６７】
Ｃ７．前記孔の直径は、１０，０００分の１インチと１，０００分の１インチの間である、
付記Ｃ１に記載の装置。
【００６８】
Ｃ８．前記レイヤの上端に材料のソリッドなキャップ（１１０）をさらに含む、
付記Ｃ１に記載の装置。
【００６９】
Ｃ９．前記孔は、音響位相及びエネルギーを制御するように前記セプタムを振動させることによって、音響制御を行う、
付記Ｃ１に記載の装置。
【００７０】
Ｃ１０．付記Ｃ１に記載の装置を用いて航空機の部品を作製すること。
【００７１】
本明細書において特定の実施形態を説明したが、本開示の範囲は、これらの実施形態に限定されるものではない。本開示の範囲は、添付の請求の範囲及びその均等範囲によって定義される。
【図１】
2019109501.tif 000003
【図２】
2019109501.tif 000004
【図３】
2019109501.tif 000005
【図４】
2019109501.tif 000006
【図５】
2019109501.tif 000007
【図６】
2019109501.tif 000008
【図７】
2019109501.tif 000009
【図８Ａ】
2019109501.tif 000010
【図８Ｂ】
2019109501.tif 000011
【図９】
2019109501.tif 000012
【図１０】
2019109501.tif 000013
【図１１】
2019109501.tif 000014
【図１２】
2019109501.tif 000015
【外国語明細書】
2019109501000001.pdf
2019109501000002.pdf
2019109501000003.pdf
2019109501000004.pdf